(57)【要約】【課題】ＬＥＤチップを覆う透光性カバーが着脱自在であることを特徴とする反射板及びこれを用いた天井用照明器具。【解決手段】天井に設けられる天井用照明器具に着脱自在に取り付けられ、取り付けられた面の裏面が光を反射する反射面を形成する反射板１と、前記反射板に取り付けられ、その長手方向の一端から他端にかけて、複数のＬＥＤ発光素子１０Ｌを並べて取り付けられているＬＥＤ基板１０と、長手方向の一端から他端にかけて切り欠かれた開口２０ａを有する略円筒形状の部材からなり、前記ＬＥＤ基板を覆うように前記反射板に着脱自在に係合され、全部又は一部が光を透過する部位になっている透光性カバー２０と、前記反射板と前記透光性カバー２０にそれぞれ設けられ、前記反射板と前記透光性カバー２０とを係合し、前記透光性カバー２０を前記反射板の長手方向に相対的にスライドできるための係合部とが設けられたことを特徴とする反射板ユニット。【選択図】図２
2013127951.tif 000002
【特許請求の範囲】
【請求項１】
天井に設けられる天井用照明器具に着脱自在に取り付けられ、取り付けられた面の裏面が光を反射する反射面を形成する反射板（１）と、
前記反射板（１）に取り付けられ、その長手方向の一端から他端にかけて、複数のＬＥＤ発光素子（１０Ｌ）を並べて取り付けられているＬＥＤ基板（１０）と、
長手方向の一端から他端にかけて切り欠かれた開口（２０ａ）を有する略円筒形状の部材からなり、前記ＬＥＤ基板を覆うように前記反射板（１）に着脱自在に係合され、全部又は一部が光を透過する部位になっている透光性カバー（２０）と、
前記反射板（１）と前記透光性カバー（２０）にそれぞれ設けられ、前記反射板（１）と前記透光性カバー（２０）とを係合し、前記透光性カバー（２０）を前記反射板の長手方向に相対的にスライドできるための係合部（３０ｍ、２０ｆ）と
が設けられたことを特徴とする反射板ユニット。
【請求項２】
請求項１に記載の反射板ユニットにおいて、
前記係合部は、
前記反射面に設けられ、前記反射面側から突出するように形成された係合雄片（３０ｍ）と、
前記透光性カバーに設けられ、前記係合雄片に係合するように形成された溝である係合雌溝（２０ｆ）とからなる
ことを特徴とする反射板ユニット。
【請求項３】
請求項２に記載の反射板ユニットにおいて、
前記係合雄片（３０ｍ）は、前記反射面の長手方向の一端から他端にかけて形成され、
前記係合雌溝（２０ｆ）は、前記透光性カバー（２０）の長手方向の一端から他端にかけて形成されている
ことを特徴とする反射板ユニット。
【請求項４】
請求項３に記載の反射板ユニットにおいて、
前記係合雄片（３０ｍ）は、前記ＬＥＤ基板（１０）の長辺の外側を沿うようにレール状に形成され、
前記係合雌溝（２０ｆ）は、前記透光性カバー（２０）の前記開口（２０ａ）側の両端である開口縁（２１）に形成されている
ことを特徴とする反射板ユニット。
【請求項５】
請求項４に記載の反射板ユニットにおいて、
前記係合雄片（３０ｍ）は、前記反射面から所定の傾斜角度を有するように形成され、
前記係合雌溝（２０ｆ）は、前記開口の面から所定の傾斜角度を有するように形成されている
ことを特徴とする反射板ユニット。
【請求項６】
請求項５に記載の反射板ユニットにおいて、
前記係合雄片（３０ｍ）は、１枚の板材からなる係合板（３０）を折り曲げて形成され、
前記係合板（３０）は、前記反射面と前記ＬＥＤ基板（１０）との間に挟まれて取り付けられている
ことを特徴とする反射板ユニット。
【請求項７】
請求項６に記載の反射板ユニットにおいて、
前記ＬＥＤ基板（１０）と前記係合板（３０）との間には、前記係合板（３０）を前記反射面に固定するための固定板（１４０）が取り付けられ、
前記固定板、前記ＬＥＤ基板及び前記係合板の一箇所以上にボルト又はリベットを貫通するための貫通孔が形成され、
前記固定板、前記ＬＥＤ基板及び前記係合板は、前記ボルト又はリベットで締結されている
ことを特徴とする反射板ユニット。
【請求項８】
請求項１から７のいずれか１項に記載された反射板ユニットが取り付けられる天井用照明器具であって、
天井に取り付けられる平面状の天井板（１０１）を備え、前記天井板（１０１）と対向する側が開口し、前記反射板ユニットを収納する収納空間（１００ａ）が区画された照明器具本体（１００）と、
前記天井板の短辺側の両端に設けられ、前記透光性カバー（２０）の両端を塞ぐパッキン（１１０）が着脱自在に取り付けられた端板（１０２）と、
前記反射板ユニットを前記照明器具本体（１００）に固定する固定手段とからなる
ことを特徴とする天井用照明器具。
【請求項９】
請求項８に記載の天井用照明器具において、
前記固定手段は、
前記反射板（１）、前記ＬＥＤ基板（１０）、前記透光性カバー（２０）及び係合板（３０）に形成されたそれぞれの貫通孔と、
前記天井板に固定された反射板取付台（１０４）に形成されたネジ穴（１０４ｈ）と、
前記貫通孔を挿通し、前記ネジ穴にねじ込まれるネジ（４０）とからなる
ことを特徴とする天井用照明器具。
【請求項１０】
請求項１に記載の反射板ユニットにおいて、
前記係合部は、
前記反射面に取り付けられた係合板（３３０）に形成され、前記係合板（３３０）の一方の面の長手方向の一端から他端にかけて形成された溝からなる係合雌溝（３３３ｆ）と、
前記透光性カバー（３２０）の前記開口（３２０ａ）側の縁である開口縁（３２１）の長手方向の一端から他端にかけて形成され、前記係合雌溝（３３３ｆ）に係合するようにレール状に形成された係合雄片（３２０ｍ）とからなる
ことを特徴とする反射板ユニット。
【請求項１１】
請求項１０に記載の反射板ユニットにおいて、
前記係合雄片（３２０ｍ）は、前記透光性カバー（３２０）の内側方向に突出するように形成されている
ことを特徴とする反射板ユニット。
【請求項１２】
請求項１１に記載の反射板ユニットにおいて、
前記係合板（３３０）には、
前記係合板（３３０）の他方の面の長手方向の一端から他端にかけて、前記ＬＥＤ基板（３１０）の短辺の幅よりも狭く、ＬＥＤ発光素子（３１０Ｌ）の幅よりも広い溝からなる開口溝（３３１）と、
前記開口溝（３３１）の両側に連続するように前記係合板（３３０）の長手方向の一端から他端にかけて、前記ＬＥＤ基板（３１０）の短辺と略同一に形成された溝からなる内側溝（３３２）とが形成され、
前記ＬＥＤ基板（３１０）は、前記内側溝（３３２）の長手方向に相対的にスライドでき、前記係合板（３３０）に対して着脱自在に設けられている
ことを特徴とする反射板ユニット。
【請求項１３】
請求項１２に記載の反射板ユニットにおいて、
前記係合板（３３０）は、押出成形で成形されたアルミニウムからなる
ことを特徴とする反射板ユニット。
【請求項１４】
請求項１０から１３のいずれか１項に記載された反射板ユニットが取り付けられる天井用照明器具であって、
天井に取り付けられる平面状の天井板（３０１）を備え、前記天井板（３０１）と対向する側が開口し、前記反射板ユニットを収納する収納空間（３００ａ）が区画された照明器具本体（３００）と、
前記天井板（３０１）の短辺側の両端に設けられ、前記透光性カバー（３２０）を保持する保持バネ（３４０）とを備えている
ことを特徴とする天井用照明器具。
【請求項１５】
請求項１４に記載の天井用照明器具において、
前記反射板（１１）の反射面の裏面の略中心に固定され、略Ｕ字形状に折り曲げて形成された係合雄部（１２）と、
前記天井板（３０１）の下面の略中心に固定され、前記係合雄部（１２）が差し込める貫通孔である係合穴部（３５０ｆ）が形成された係合雌部（３５０）とを有し、
前記係合雄部（１２）は、付勢力により前記係合穴部（３５０ｆ）に固定され、前記反射板（１２）が前記照明器具本体（３００）に固定される
ことを特徴とする天井用照明器具。
【発明の詳細な説明】
【技術分野】
【０００１】
本発明は、反射板ユニット及びこれを用いた天井用照明器具に関する。さらに詳しくは、ＬＥＤチップを覆う透光性カバーを着脱自在にした反射板ユニット及びこれが着脱自在に用いられる天井用照明器具に関する。
【背景技術】
【０００２】
従来の天井用照明器具は、２灯の蛍光灯を平行に配置したものが一般的には多く使用されている。しかし、蛍光灯を２灯用いる天井用照明器具は、消費電力が多く、経済的な負担が多い。また、蛍光灯を２灯用いる天井用照明器具は、蛍光灯数が多いためその発熱作用により、室内温度が上がり、この冷房のために空調設備をより稼働しなければならず、使用電気料が増大する。蛍光灯を２灯用いる天井用照明器具は、このような問題点を有している。
【０００３】
近年、省エネルギーの観点から、２灯から１灯の天井用照明器具に変更することが行われている。これは、反射板の効果で２灯の天井用照明器具と同等の照度を確保できる１灯の天井用照明器具等が、市場で販売され普及されつつあるからである。このために、近年、従来使用されていた２灯の天井用照明器具を、１灯の天井用照明器具に変更する作業が増加している。一方、ＬＥＤ照明器具の普及は、地球温暖化を阻止し二酸化炭素の排出量の削減を実現する手段として大きな期待が寄せられている。
【０００４】
現在、オフィス、店舗等の天井用照明器具の大半は、蛍光灯を用いたものである。これを、照明効率の高いＬＥＤ照明器具に置き換えることが可能ならば、照明に使用するエネルギーの節約が可能となる。このため、日本を含めて内外の国で、ＬＥＤ照明器具の研究開発が盛んに進められている。このＬＥＤ照明器具として、複数の小さなＬＥＤ発光素子を備えたもので、このＬＥＤ発光素子を直線上に一定間隔を置いて配列したＬＥＤ基板が提供されはじめてきた。
【０００５】
さらに、ＬＥＤ基板を用いた蛍光灯状の照明灯（以下、ＬＥＤ照明灯という。）について特許文献を基に、従来の技術を説明する。複数のＬＥＤ発光素子を表面に備えた基板と、筒状をし且つその内面の離間した２箇所を架橋する前記基板を内部に格納するガラス管と、前記基板と前記ガラス管とを接合する接着剤とを備えるＬＥＤ照明灯の技術が知られている（例えば、特許文献１参照）。ＬＥＤチップの温度上昇を抑制できて光出力の高出力化を図れ、かつ、発光装置の周辺部分が暗くなるのを抑制することが可能な照明器具の技術が知られている（例えば、特許文献２参照）。
【先行技術文献】
【特許文献】
【０００６】
【特許文献１】特開２０１１−１３８６８１号公報
【特許文献１】特開２０１１−１５０８１５号公報
【発明の概要】
【発明が解決しようとする課題】
【０００７】
しかしながら、前述した特許文献１に記載された発明は、ガラス管の中に基板を配置したものであった。ガラス管は、破損しやすいため取り扱いに注意が必要であり、取り付け、取り外し作業が容易ではなく手間がかかる。また、取付作業中にガラス管が破損してしまうと、作業員に危険が及ぶ上にコストがかかるという問題点があった。また、特許文献２に記載された発明では、透光性カバーには結合脚が設けられており、これを反射板に設けられた係合孔に挿入して係止している。
【０００８】
結合脚は、折れやすいため、透光性カバーの取り付け、取り外しには細心の注意が要求される。また、結合脚は、透光性カバーの一部に設けられ、その部分だけで反射板に係合されているため、自重等により変形するので長期間の使用に耐えられない恐れがあるという問題点があった。このため、従来の天井用照明器具は、ＬＥＤ照明灯を取り付け又は取り外す作業が、容易でないという問題点があった。
【０００９】
本発明は、前述した課題を解決するためになされたもので、次の目的を達成する。本発明の目的は、多くの器具部品を要することなく、作業工程数が少なく、容易に天井用照明器具に取り付けられる反射板ユニットを提供することにある。また、本発明の他の目的は、反射面に透光性カバー、ＬＥＤ発光素子を取り付けた状態で、天井用照明器具に取り付け、取り外し作業を行うことができる反射板ユニットを提供することにある。さらに、本発明の他の目的は、既設の天井用照明器具をリニューアル工事する際に、作業員に危険が及ぶことなく、容易に反射板ユニットを取り付け、取り外し作業ができる天井用照明器具を提供することにある。
【課題を解決するための手段】
【００１０】
本発明は、前記目的を達成するために次の手段をとる。
本発明１の反射板ユニットは、天井に設けられる天井用照明器具に着脱自在に取り付けられ、取り付けられた面の裏面が光を反射する反射面を形成する反射板と、前記反射板に取り付けられ、その長手方向の一端から他端にかけて、複数のＬＥＤ発光素子を並べて取り付けられているＬＥＤ基板と、長手方向の一端から他端にかけて切り欠かれた開口を有する略円筒形状の部材からなり、前記ＬＥＤ基板を覆うように前記反射板に着脱自在に係合され、全部又は一部が光を透過する部位になっている透光性カバーと、前記反射板と前記透光性カバーにそれぞれ設けられ、前記反射板と前記透光性カバーとを係合し、前記透光性カバーを前記反射板の長手方向に相対的にスライドできるための係合部とが設けられたことを特徴とする。
【００１１】
本発明２の反射板ユニットは、本発明１において、前記係合部は、前記反射面に設けられ、前記反射面側から突出するように形成された係合雄片と、前記透光性カバーに設けられ、前記係合雄片に係合するように形成された溝である係合雌溝とからなることを特徴とする。
【００１２】
本発明３の反射板ユニットは、本発明２において、前記係合雄片は、前記反射面の長手方向の一端から他端にかけて形成され、前記係合雌溝は、前記透光性カバーの長手方向の一端から他端にかけて形成されていることを特徴とする。
【００１３】
本発明４の反射板ユニットは、本発明３において、前記係合雄片は、前記ＬＥＤ基板の長辺の外側を沿うようにレール状に形成され、前記係合雌溝は、前記透光性カバーの前記開口側の両端である開口縁に形成されていることを特徴とする。
【００１４】
本発明５の反射板ユニットは、本発明４において、前記係合雄片は、前記反射面から所定の傾斜角度を有するように形成され、前記係合雌溝は、前記開口の面から所定の傾斜角度を有するように形成されていることを特徴とする。
【００１５】
本発明６の反射板ユニットは、本発明５において、前記係合雄片は、１枚の板材からなる係合板を折り曲げて形成され、前記係合板は、前記反射面と前記ＬＥＤ基板との間に挟まれて取り付けられていることを特徴とする。
【００１６】
本発明７の反射板ユニットは、本発明６において、前記ＬＥＤ基板と前記係合板との間には、前記係合板を前記反射面に固定するための固定板が取り付けられ、前記固定板、前記ＬＥＤ基板及び前記係合板の一箇所以上にボルト又はリベットを貫通するための貫通孔が形成され、前記固定板、前記ＬＥＤ基板及び前記係合板は、前記ボルト又はリベットで締結されていることを特徴とする。
【００１７】
本発明８の天井用照明器具は、本発明１から７のいずれか１に記載された反射板ユニットが取り付けられる天井用照明器具であって、天井に取り付けられる平面状の天井板を備え、前記天井板と対向する側が開口し、前記反射板ユニットを収納する収納空間が区画された照明器具本体と、前記天井板の短辺側の両端に設けられ、前記透光性カバーの両端を塞ぐパッキンが着脱自在に取り付けられた端板と、前記反射板ユニットを前記照明器具本体に固定する固定手段とからなることを特徴とする天井用照明器具。
【００１８】
本発明９の天井用照明器具は、本発明８において、前記固定手段は、前記反射板、前記ＬＥＤ基板、前記透光性カバー及び係合板に形成されたそれぞれの貫通孔と、前記天井板に固定された反射板取付台に形成されたネジ穴と、前記貫通孔を挿通し、前記ネジ穴にねじ込まれるネジとからなることを特徴とする。
【００１９】
本発明１０の反射板ユニットは、本発明１において、前記係合部は、前記反射面に取り付けられた係合板に形成され、前記係合板の一方の面の長手方向の一端から他端にかけて形成された溝からなる係合雌溝と、前記透光性カバーの前記開口側の縁である開口縁の長手方向の一端から他端にかけて形成され、前記係合雌溝に係合するようにレール状に形成された係合雄片とからなることを特徴とする。
【００２０】
本発明１１の反射板ユニットは、本発明１０において、前記係合雄片は、前記透光性カバーの内側方向に突出するように形成されていることを特徴とする。
【００２１】
本発明１２の反射板は、本発明１１において、前記係合板には、前記係合板の他方の面の長手方向の一端から他端にかけて、前記ＬＥＤ基板の短辺の幅よりも狭く、ＬＥＤ発光素子の幅よりも広い溝からなる開口溝と、前記開口溝の両側に連続するように前記係合板の長手方向の一端から他端にかけて、前記ＬＥＤ基板の短辺と略同一に形成された溝からなる内側溝とが形成され、前記ＬＥＤ基板は、前記内側溝の長手方向に相対的にスライドでき、前記係合板に対して着脱自在に設けられていることを特徴とする。
【００２２】
本発明１３の反射板は、本発明１２において、前記係合板は、押出成形で成形されたアルミニウムからなることを特徴とする。
【００２３】
本発明１４の天井用照明器具は、本発明１０から１３のいずれか１に記載された反射板ユニットが取り付けられる天井用照明器具であって、天井に取り付けられる平面状の天井板を備え、前記天井板と対向する側が開口し、前記反射板ユニットを収納する収納空間が区画された照明器具本体と、前記天井板の短辺側の両端に設けられ、前記透光性カバーを保持する保持バネとを備えていることを特徴とする。
【００２４】
本発明１５の天井用照明器具は、本発明１４において、前記反射板の反射面の裏面の略中心に固定され、略Ｕ字形状に折り曲げて形成された係合雄部と、前記天井板の下面の略中心に固定され、前記係合雄部が差し込める貫通孔である係合穴部が形成された係合雌部とを有し、前記係合雄部は、付勢力により前記係合穴部に固定され、前記反射板が前記照明器具本体に固定されることを特徴とする。
【発明の効果】
【００２５】
本発明の反射板ユニットは、多くの器具部品を要することなく、作業工程数が少なく、容易に天井用照明器具に取り付けられる。また、本発明の反射板ユニットは、反射面に透光性カバー、ＬＥＤ発光素子を取り付けた状態で、天井用照明器具に取り付け、取り外し作業を行うことができるため、天井で行なう設置作業数が少なくてすむ。さらに、本発明の天井用照明器具は、既設の天井用照明器具をリニューアル工事する際に、作業員に危険が及ぶことなく、容易に反射板を取り付け、取り外し作業ができる。
【図面の簡単な説明】
【００２６】
【図１】図１は、本発明の天井用照明器具の反射板の実施の形態を示す外観図である。
【図２】図２は、反射板及び透光性カバーを外した状態を示す天井用照明器具の立体分解部品図である。
【図３】図３は、図１をＡ−Ａ線で切断して、部品を分解した拡大した拡大分解断面図である。
【図４】図４は、本発明の他の実施形態１の天井用照明器具を長手方向と直交する方向で切断した拡大断面図である。
【図５】図５は、本発明の他の実施形態２の天井用照明器具を長手方向と直交する方向で切断した断面図である。
【図６】図６は、本発明の他の実施形態２の天井用照明器具を長手方向と直交する方向で切断した拡大断面図である。
【図７】図７は、本発明の他の実施形態３の天井用照明器具用の反射板の実施の形態を示す外観図である。
【図８】図８は、反射板、ＬＥＤ基板及び透光性カバーを外した状態を示す天井用照明器具の立体分解部品図である。
【図９】図９は、反射板、ＬＥＤ基板及び係合板を外した状態を示す天井用照明器具の立体分解部品図の一部拡大図である。
【図１０】図１０は、図７をＢ−Ｂ線で切断した拡大断面図であり、照明器具本体に反射板が取り付けられていない状態を示す図である。
【図１１】図１１は、天井用照明器具に反射板を取り付けるときの状態を示す断面図である。
【発明を実施するための形態】
【００２７】
以下、本発明の反射板について、その実施の形態を図面に基づいて説明する。図１は、本発明の天井用照明器具の反射板の実施の形態を示す外観図である。図２は、反射板及び透光性カバーを外した状態を示す天井用照明器具の立体分解部品図である。図３は、図１をＡ−Ａ線で切断して、分解拡大した拡大分解断面図である。なお、図１は、反射板は、天井用照明器具に設置された状態を示しており、この天井用照明器具は、上下を反転して表示したものであり、説明の便宜から天井（図示せず）を下方向にして描いている。
【００２８】
本実施の形態において説明の便宜上、天井用照明器具の設置される天井面側の方向を上方向（矢印Ｕ方向）として説明する。床面側の方向を下方向（矢印Ｄ方向）として説明する。長方形の長い方の辺を長辺とし、短い方の辺を短辺として説明する。天井用照明器具の後述する長方形状の天井板１０１の二つの長辺と平行で、かつこの二つの長辺の中央の線を中心線Ｌ１とする。反射板１の二つの長辺と平行で、かつこの二つの長辺の中央の線を中心線Ｌ２として説明する。透光性カバー２０の長手方向と直交する方向の両方の端面の中心を結ぶ線を中心線Ｌ３とする。
【００２９】
〔照明器具本体１００〕
図１及び２に示すように、照明器具本体１００には、反射板１と透光性カバー２０等が取り付けられている。照明器具本体１００は、天井に設置した状態で、平面方向から見て長方形形状、側面から見て略台形形状に形成されている。照明器具本体１００は、アルミニウム等の一枚、又は複数枚の板材を折り曲げ加工することにより形成されている。照明器具本体１００は、下方向に開口しており、また、側面から見て、天井に設置した状態で天井側の上底の辺が下底の辺より長く、左右対称の略台形形状に形成されている。
【００３０】
図２に示すように、照明器具本体１００は、長方形形状で平面状の天井板１０１を備え天井にビス等の固定器具により固定配置されている。照明器具本体１００は、天井板１０１、端板１０２及び傾斜板１０３とで区画され、収納空間１００ａが形成されている。従って、照明器具本体１００は、天井板１０１と対向する面が開口された平たい略箱形形状に形成されたものである。この収納空間１００ａは、照明器具本体１００に反射板１を設置できるように形成されたものである。
【００３１】
照明器具本体１００には、その内部に点灯装置としての安定器、電源用端子台等が配置されている（図示せず）。照明器具本体１００の天井板１０１の下面で、この短辺側の両端には、反射板取付台１０４がそれぞれ固定配置されている。反射板取付台１０４は、照明器具本体１００に反射板１を固定するためのものである。反射板取付台１０４は、天井板１０１の中心線Ｌ１上で、かつ短辺側の２箇所に固定配置されており、その中心部にネジ穴１０４ｈを有している。
【００３２】
〔パッキン１１０〕
天井板１０１の短辺側の両端には、それぞれ照明器具本体１００の端板１０２が一体に形成されている。両端の端板１０２の内側の面の略中心には、パッキン１１０が取り付けられている。パッキン１１０は、後述する透光性カバー２０の両端を塞ぐためのものであり、透光性カバー２０の両端に着脱自在に嵌め込んで用いるものである。このパッキン１１０は、透光性カバー２０の両端を密閉できるように弾性変形可能なゴムや合成樹脂等の軟質の素材で構成されている。パッキン１１０は、透光性カバー２０の両端を塞ぐことで、光に集まってきた虫の侵入や埃が溜まることを防ぐことができる。このパッキン１１０は、劣化したときに交換可能にするため、着脱自在に設けるとよい。
【００３３】
〔反射板１〕
図２及び３に示すように、本実施の形態の反射板１の一方の面である反射面には、ＬＥＤ基板１０、透光性カバー２０、及び係合板３０が取り付けられている。中心線Ｌ２上の両端には、貫通孔が設けられている（図示せず）。反射板１は、反射板取付台１０４のネジ穴１０４ｈにネジ４０をねじ込むことにより、照明器具本体１００に固定される。反射板１は、長方形の一枚の板材を折り曲げ加工することにより、複数の長方形の反射面を形成したものである。この反射板１は、複数の長方形の面の長辺が隣接するように平行に並べられて形成されている。
【００３４】
反射板１は、平面で見れば略長方形形状であり、側面から見れば左右対称の緩やかな傾斜面を有する山形状に形成されている。頂上面１ｓは（図３参照）、山形状に形成された反射板１の頂上であり、反射板１が照明器具本体１００に固定されたとき、最も天井面に近い面となる。頂上面１ｓは、照明器具本体１００を天井に固定されたとき、天井面と平行になるように設けられた細長い長方形の平面である。この頂上面１ｓには、ＬＥＤ基板１０、透光性カバー２０及び係合板３０が取り付けられる。
【００３５】
反射板１は、チタンやシリコンを用いたガラス状の物質をＰＶＤコーティングという方法で物理蒸着することにより反射面を形成する。これにより反射板１は、照射された照射光を、母材であるアルミニウムによって反射するのではなく、ＰＶＤコーティングされた反射板１の表面である反射面で反射するため、反射率が９４パーセントという反射率が実現する。つまり、反射板１は、照射された照射光をほとんど吸収することなく反射するため、反射率９４パーセントという高性能反射率を実現する。また、反射板１の反射面は、ＰＶＤコーティングをしたことにより、耐摩耗性に優れ、高温作業下でも硬度に優れ、キズがつきにくい等の特徴を有する。さらに、反射板１は、耐久性に優れ、表面が黄ばんだり、剥げたりすることがなく高反射率を維持できる。
【００３６】
本実施の形態の反射板１は、更にその表面にエンボス加工が施されている。反射板１は、エンボス加工が施されていることにより、ＬＥＤ発光素子１０Ｌより発せられた照射光を拡散反射することができる。つまり、照射光が拡散反射（乱反射）することにより反射板の表面部が黒く見えることなく、全体に白く見えるようになり、意匠性が向上する。なお、反射板１は、天井用照明装置を設置する位置や場所又は、照明をあてる対象に応じて例えば鏡面加工や梨地加工に変えても良いことはいうまでもない。
【００３７】
〔ＬＥＤ基板１０〕
図２に示すように、反射板１の頂上面１ｓには、係合板３０を介在して平面状で細長いＬＥＤ基板１０が取り付けられている。ＬＥＤ基板１０と係合板３０は、本例では熱伝導性両面粘着シリコーンテープで固定されている。ＬＥＤ基板１０と係合板３０とを固定する部材は、ＬＥＤ基板１０から発生した熱を効率良く伝導するものが良い。なお、ＬＥＤ基板１０と係合板３０とは、必ずしも粘着剤や接着剤等で固定されてなくても良い。つまり、後述するように、透光性カバー２０の係合雌溝２０ｆに係合板３０の係合雄片３０ｍが係合したとき、透光性カバー２０の内側縁部２１ｉでＬＥＤ基板１０を押さえつけて固定するためである（図３参照）。
【００３８】
図２に示すように、ＬＥＤ基板１０の下面には、複数のＬＥＤ発光素子１０Ｌが、等間隔に配置され固定されている。ＬＥＤ基板１０は、本例では、直列に３本繋がれており、その長手方向の両端には、ネジ４０を貫通するための貫通孔が形成されている。ＬＥＤ基板１０は、電源線に接続されており（図示せず）、電力がＬＥＤ基板１０に供給されることでＬＥＤ発光素子１０Ｌが発光する。ＬＥＤ基板１０に設けられるＬＥＤ発光素子１０Ｌの個数は、必要とされる照度、使用する照明器具本体の寸法等に応じて適宜決定すればよいことはいうまでもない。
【００３９】
〔透光性カバー２０〕
図２及び３に示すように、透光性カバー２０は、ＬＥＤ基板１０を覆う半円筒形状又は略円筒形状のカバーである。透光性カバー２０は、従来、照明器具の光源として使用されてきた蛍光灯等のガラス管に相当するものであり、照明光を拡散させて均一な照明光とするものである。透光性カバー２０は、全部又は一部が光を透過する部材から構成されており、弾性変形可能な合成樹脂材料であるポリカーボネートにより構成されている。透光性カバー２０は、ポリカーボネート等の樹脂を押出成形で成形される。透光性カバー２０の素材は、ポリカーボネートで構成されているが、弾性変形するのであれば他の合成樹脂（例えば、ＡＢＳ樹脂、アクリル樹脂）でも良い。
【００４０】
図２に示すように、透光性カバー２０は、長手方向（中心線Ｌ３方向）の一端から他端にかけて切り欠かれて開口２０ａが形成されている。透光性カバー２０は、開口２０ａ側からＬＥＤ基板１０を覆うように反射板１に取り付けられる。透光性カバー２０の長手方向の両端には、貫通孔が設けられている。透光性カバー２０の開口２０ａ側の両端である開口縁２１、２１には、溝である係合雌溝２０ｆ、２０ｆがそれぞれ形成されている。この係合雌溝２０ｆ、２０ｆは、開口縁２１、２１の長手方向一端から他端にかけて、切り欠くように形成されている。係合雌溝２０ｆは、透光性カバー２０を係合板３０の長手方向に沿ってスライドさせるための係合部であり、係合板３０の係合雄片３０ｍに係合する。一対の係合雌溝２０ｆ、２０ｆは、断面で見たとき左右対称になるように傾斜、即ち下方に弾力を持って開くように成形されている。
【００４１】
係合雌溝２０ｆの傾斜角度θ１は、係合雄片３０ｍの傾斜角度θ２と同一の角度になるように形成されている。なお、係合雌溝２０ｆの傾斜角度θ１は、開口２０ａの面と係合雌溝２０ｆとの間の角度のことをいう。係合雄片３０ｍの傾斜角度θ２は、頂上面１ｓと係合雄片３０ｍとの間の角度のことをいう。開口縁２１には、係合雌溝２０ｆの内側に内側縁部２１ｉが形成され、係合雌溝２０ｆの外側に外側縁部２１ｏが形成されている。なお、傾斜角度θ１と傾斜角度θ２とは、異なる角度になるように形成しても良い。
【００４２】
図３に示すように、内側縁部２１ｉは、係合雌溝２０ｆと係合雄片３０ｍが係合したとき、ＬＥＤ基板１０を係合板３０側に押さえつける機能を有している。外側縁部２１ｏは、係合雌溝２０ｆと係合雄片３０ｍが係合したとき、反射板１を押さえ付けている。このように、内側縁部２１ｉと外側縁部２１ｏとがＬＥＤ基板１０と反射板１を押さえつけていることにより、透光性カバー２０は、反射板１に係合され固定される。透光性カバー２０は、反射板１に確実に固定するために、係合雌溝２０ｆを成形する時、長手方向の両端の溝幅が狭くなるように変形して成形されたものが良い。この理由は、係合雄片３０ｍの一端から係合雌溝２０ｆを挿入するとき、摺動抵抗が少なくなり組立が容易で、しかも係合雌溝２０ｆの両端の溝が狭く形成されているので、確実に保持されることになる。
【００４３】
〔係合板３０〕
図３示すように、反射板１の頂上面１ｓには、細長い係合板３０が取り付けられている。係合板３０は、反射板１とＬＥＤ基板１０との間に設けられた金属（例えば、アルミニウム）の板である。係合板３０は、反射板１の頂上面１ｓにリベットやネジ等で固定して取り付けられている。係合板３０は、長辺側の両端が折り曲げ加工されて、係合雄片３０ｍ、３０ｍが形成されている。係合雄片３０ｍは、前述したように透光性カバー２０を係合板３０の長手方向に沿ってスライドさせるための係合部であり、透光性カバー２０の係合雌溝２０ｆに係合する。
【００４４】
図３に示すように、両端の係合雄片３０ｍ、３０ｍは、断面で見たとき、その形状は係合板３０を反射板１側からＬＥＤ基板１０側に突出するように形成されている。両端の係合雄片３０ｍ、３０ｍは、ＬＥＤ基板１０の２つの長辺の外側に沿うようにレール状に形成されている。即ち、両側の係合雄片３０ｍは、断面で見たとき対称になるように、頂上面１ｓから角度θ２だけ傾斜するように係合板３０を折り曲げ加工されて形成されている。
【００４５】
図３に示すように、係合板３０の係合雄片３０ｍの傾斜角度θ２に対して、透明カバー２０の係合雌溝２０ｆの傾斜角度θ１が、同一又はやや小さい角度で形成されている。このため、透光性カバー２０は、係合板３０の長手方向に沿ってスライドされ、かつその摩擦力で反射板１に固定可能に取り付けられる。係合板３０の長手方向の両端には、貫通孔が設けられている（図示せず）。ネジ４０は、照明器具本体１００に、ＬＥＤ基板１０、透光性カバー２０及び係合板３０を取り付けられた反射板１を固定することができる。
【００４６】
次に図２を用いて、反射板１を照明器具本体１００に取り付ける作業方法１について説明する。反射板１を照明器具本体１００に取り付ける方法１は、傾斜角度θ１と傾斜角度θ２が同一になるように形成されている場合である。まず、係合板３０の長手方向の一端に透光性カバー２０の長手方向の一端にあてる。このとき、係合雄片３０ｍ、３０ｍに係合雌溝２０ｆ、２０ｆを挿入する。透光性カバー２０を係合板３０に押し込むと、係合雌溝２０ｆ、２０ｆが弾性変形し、係合雄片３０ｍ、３０ｍに係合雌溝２０ｆ、２０ｆが係合する。
【００４７】
さらに、透光性カバー２０を押し込んで、透光性カバー２０を、係合板３０の長手方向に沿ってスライドさせ、透光性カバー２０の長手方向の両端と係合板３０の長手方向の両端を一致させる。係合雌部２０ｆの長手方向の両端の溝幅は、係合雄片３０ｍの幅より狭く構成されているため、係合雌部２０ｆと係合雄片３０ｍは、長手方向の両端において確実に固定される。内側縁部２１ｉと外側縁部２１ｏとがＬＥＤ基板１０と反射板１を押さえつけていることにより、透光性カバー２０は、反射板１に確実に固定される。また、ＬＥＤ基板１０が、係合板３０に接着されていない場合であっても、ＬＥＤ基板１０は、内側縁部２１ｉに押さえつけられていることにより、係合板３０に固定される。
【００４８】
このように反射板１に、透光性カバー２０を取り付けることで反射板ユニットが組立てられる。この反射板ユニットを構成する反射板１、ＬＥＤ基板１０、透光性カバー２０、係合板３０に形成された貫通孔の中心は、同一の軸線Ｊ上に位置する（図２参照）。反射板ユニットの組み立ては、作業のしやすい作業台や地面上などで行なう。次に反射板ユニットを、天井に設置されている照明器具本体１００の収納空間１００ａに設置する。このとき、透光性カバー２０の両端に、照明器具本体１００の両端の端板１０２に取り付けられたパッキン１１０を嵌め込む。反射板ユニットを照明器具本体１００に取り付けると、反射板取付台１０４のネジ穴１０４ｈ中心も、軸線Ｊ上に位置する。このため、ネジ４０を、反射板ユニットに設けられた貫通孔に挿通してネジ穴１０４ｈにネジ止めすることで、反射板ユニットが照明器具本体１００に固定される。
【００４９】
本実施の形態によれば、いったん反射板ユニットを構成してから、照明器具本体１００に設置をするため、天井で行なう作業数が減少する。つまり、本発明によれば、照明器具本体１００を構成する多くの部品毎に、天井で設置作業を行なわずにすむ。さらに、本実施の形態によれば、既設の天井用照明器具１００をリニューアル工事する際に、天井で行なう作業が減少するため、作業員に危険が及ぶことなく、容易に反射板を取り付け、取り外し作業をすることができる。
【００５０】
次に図２を用いて、反射板１を照明器具本体に取付ける作業方法２について説明する。反射板１を照明器具本体１００に取り付ける方法２は、係合雌溝２０ｆの傾斜角度θ１が係合雄片３０ｍの傾斜角度θ２よりも小さくなるように形成されている場合である。なお、反射板を照明器具本体に取付ける作業方法１と同様の作業方法については、説明を省略する。まず、係合板３０の長手方向の一端に透光性カバー２０の長手方向の一端にあてる。このとき、開口縁２１、２１を右側方向（矢印Ｒ方向）と左側方向（矢印Ｌ方向）に広げて、開口２０ａを広げる。
【００５１】
開口２０ａを広げた状態で係合雄片３０ｍ、３０ｍに係合雌溝２０ｆ、２０ｆをあてる。透光性カバー２０を係合板３０に押し込むと、係合雌溝２０ｆ、２０ｆ端部が弾性変形し、係合雄片３０ｍ、３０ｍに係合雌溝２０ｆ、２０ｆが係合する。さらに、透光性カバー２０を係合板３０に押し込んで、透光性カバー２０を、係合板３０の長手方向に沿ってスライドさせて、透光性カバー２０の長手方向の両端を係合板３０の長手方向の両端に一致させる。
【００５２】
開口２０ａが広げられた透光性カバー２０は、弾性力によりもとの状態に戻ろうとする。つまり、透光性カバー２０は、係合雌溝２０ｆの傾斜角度θ２の状態に戻ろうとする。このため、内側縁部２１ｉは、ＬＥＤ基板１０を押圧し確実に押さえつけて固定している。同様に、外側縁部２１ｏも、反射板１を押圧し確実に押さえつけて固定している。このように、内側縁部２１ｉと外側縁部２１ｏとがＬＥＤ基板１０と反射板１を押圧しつつ固定することにより、透光性カバー２０は、反射板１に確実に固定される。反射板１に、透光性カバー２０を取り付けることで反射板ユニットが組立てられる。なお、反射板ユニットを照明器具本体１００に設置する作業方法は、反射板１を照明器具本体に取付ける作業方法１と同様であるので説明を省略する。
【００５３】
〔他の実施形態１〕
次に、本発明の他の実施形態１を、図面に基づいて詳細に説明する。なお、他の実施形態１の説明では、実施の形態と同一の部位には、同一の符号を付与し詳細な説明は省略する。図４は、本発明の他の実施形態１の照明器具本体を長手方向と直交する方向で切断した拡大断面図である。
【００５４】
〔固定板１４０〕
ＬＥＤ基板１０と係合板３０との間には、固定板１４０が設けられている。固定板１４０は、係合板３０と反射板１とを確実に固定するために設けられた金属の長方形形状の板である。固定板１４０は、係合板３０と反射板１とともに反射板１の頂上面１ｓに取り付けられる。固定板１４０は、リベット５０を用いて係合板３０と反射板１とを複数箇所で固定する。
【００５５】
図４に示すように、リベット５０は、表面が平らで根元が略円錐形状の皿頭部５１を有している。固定板１４０には、略円錐形状の貫通孔が形成されており、リベット５０の皿頭部５１を埋め込むために形成された円錐孔４１が複数設けられている。係合板３０には、円筒形状の貫通孔である貫通孔３０ｈが複数形成されている。反射板１には、円筒形状の貫通孔である貫通孔１ｈが複数形成されている。円錐孔４１、貫通孔３０ｈ及び貫通孔１ｈの中心は、固定板１４０、係合板３０及び反射板１を重ね合わせたとき同一軸線上に位置する。
【００５６】
リベット５０を固定板１４０側から挿入し、リベット５０の皿頭部５１を埋め込んだ後、リベット５０の先端をかしめることで、固定板１４０、係合板３０及び反射板１は互いに強固に固定される。リベット５０の皿頭部５１は、円錐孔４１に埋め込まれているので、固定板１４０に凹凸が生じない。なお、他の実施形態１においては、ＬＥＤ基板と反射板１を固定板を介してリベットで固定している。しかし、リベットに限らず、他の固定部材（例えばネジ等）で固定しても良いことはいうまでもない。
【００５７】
〔他の実施形態２〕
次に、本発明の他の実施形態２を、図面に基づいて詳細に説明する。なお、実施の形態と同一の部位には、同一の符号を付与し詳細な説明は省略する。図５は、本発明の他の実施形態２の照明器具本体を長手方向と直交する方向で切断した断面図である。図６は、本発明の他の実施形態２の照明器具本体を長手方向と直交する方向で切断した拡大断面図である。
【００５８】
〔反射板２０１〕
図５に示すように、反射板２０１は、長方形の一枚の板材を折り曲げ加工することにより複数の長方形の反射面が形成されている。反射板２０１は、複数の長方形の面の長辺が隣接するように並べられて形成されている。反射板２０１は、平面で見たとき略長方形形状であり、断面で見たとき左右対称の略Ｍ字形状に形成されている。反射板２０１の中心部である山折り部２１０は、反射板２０１を照明器具本体に取り付けたときに、下方向側に突出するように凸状に形成されている。
【００５９】
図６に示すように、反射板２０１には、山折り部２１０により、左右対称に形成された２つの斜面である第１傾斜面２０２と第２傾斜面２０３が形成される。第１傾斜面２０２上には、第１ＬＥＤ基板２１１、第１固定板２４１及び係合板２３０が取り付けられる。第２傾斜面２０３上には、第２ＬＥＤ基板２１２、第２固定板２４２及び係合板２３０が取り付けられる。第１ＬＥＤ基板２１１と第２ＬＥＤ基板２１２とは、反射板２０１上において、反射板２０１上の長手方向一端から他端にかけて２列並べられるよう取り付けられる。
【００６０】
即ち、第１ＬＥＤ基板２１１と第２ＬＥＤ基板２１２とは、反射板２０１に取り付けられる面が異なり、所定の角度だけ傾けられている。このため、第１ＬＥＤ基板２１１と第２ＬＥＤ基板２１２とは、異なる角度に光を照射できる。なお、第１ＬＥＤ基板２１１と第２ＬＥＤ基板２１２とは、反射板２０１の同一平面上に２列並べて取り付けられても良い。
【００６１】
〔透光性カバー２２０〕
図６に示すように、透光性カバー２２０は、反射板２０１上に取り付けられた、２列のＬＥＤ基板である第１ＬＥＤ基板２１１と第２ＬＥＤ基板２１とを覆うカバーである。係合雌溝２２０ｆは、透光性カバー２２０を係合板２３０の長手方向に沿ってスライドさせるための係合部であり、係合板２３０の係合雄片２３０ｍに係合する。他の実施形態２において、透光性カバー２２０は、２列のＬＥＤ基板を覆うように形成されているが、２列以上のＬＥＤ基板を覆うように形成しても良いことはいうまでもない。
【００６２】
〔係合板２３０〕
図６に示すように、係合板２３０は、第１傾斜面２０２及び第２傾斜面２０３上をまたがって取り付けられるように折り曲げ加工されている。係合板２３０は、側面視左右対称の略Ｍ字形状に形成されている。断面視した係合板２３０の両端は、約９０度折り曲げ加工されて、それぞれ係合雄片２３０ｍが形成されている。係合雄片２３０ｍは、透光性カバー２２０を係合板２３０の長手方向に沿ってスライドさせるための係合部であり、係合雌溝２２０ｆに係合する。
【００６３】
図６示すように、第１固定板２４１は、係合板２３０と反射板２０１とを確実に固定するために設けられた金属の長方形形状の板である。第１固定板２４１は、反射板２０１の第１傾斜面２０２に固定されている。第１固定板２４１、第１傾斜面２０２及び係合板２３０とは、複数箇所がリベット２５０で固定されている。第２固定板２４２は、係合板２３０と反射板２０１とを確実に固定するために設けられた金属の長方形形状の板である。第２固定板２４２は、反射板２０１の第２傾斜面２０３に固定される。第２固定板２４２、第２傾斜面２０３及び係合板２３０とは、複数箇所をリベット２５０で固定されている。第１固定板２４１上には、第１ＬＥＤ基板２１１が取り付けられる。第２固定板２４２には、第２ＬＥＤ基板２１２が取り付けられる。
【００６４】
他の実施の形態２に記載された反射板は、ＬＥＤ基板が２列並べて用意されている。このため、他の実施の形態２に記載された反射板は、ＬＥＤ基板が１列並べられているものに比べて高い照度の光を提供できる。山折り部２１０は、底面視した反射板２０１の中心に該当する部分に形成されているが、反射板２０１の他の部分に形成されていても良いことはいうまでもない。また、反射板２０１は、山折り部２１０が、一つだけ形成されているが、二つ以上形成され、そこにＬＥＤ基板が取り付けられても良いことはいうまでもない。
【００６５】
〔他の実施形態３〕
次に、本発明の他の実施形態３を、図面に基づいて詳細に説明する。なお、他の実施形態３の説明では、実施の形態と同一の部位には、同一の符号を付与し詳細な説明は省略する。図７は、本発明の他の実施形態３の天井用照明器具用の反射板の実施の形態を示す外観図である。図８は、反射板、ＬＥＤ基板及び透光性カバーを外した状態を示す天井用照明器具の立体分解部品図である。図９は、反射板、ＬＥＤ基板及び係合板を外した状態を示す天井用照明器具の立体分解部品図の一部拡大図である。図１０は、図７をＢ−Ｂ線で切断した拡大断面図であり、照明器具本体に反射板が取り付けられていない状態を示す図である。図１１は、天井用照明器具に反射板を取り付ける状態を示す断面図である。
【００６６】
〔照明器具本体３００〕
図７及び８に示すように、照明器具本体３００には、反射板１１と透光性カバー３２０等が取り付けられている。照明器具本体３００は、天井に設置した状態で、平面方向から見て長方形形状、側面から見たとき下方向側に緩やかな円弧状の略長方形形状に形成されている。照明器具本体３００は、アルミニウム等の金属の一枚、又は複数枚の板材を折り曲げ加工したものであり、天井板３０１、縁部３０３及び載置部３０４と、ポリカーボネート樹脂やＡＢＳ樹脂等ののプラスチック製の端板３０２とから形成されている。
【００６７】
図８に示すように、照明器具本体３００は、平面状の天井板３０１を備え天井にビス等の固定器具により固定配置されている。照明器具本体３００は、天井板３０１、端板３０２及び傾斜板３０３とで区画され、収納空間３００ａが形成されている。照明器具本体３００は、天井板１０１と対向する面が開口された平たい略箱形形状に形成されている。この収納空間３００ａは、照明器具本体３００に反射板１１を設置できるように形成されたものである。
【００６８】
図７又は８に示すように、天井板３０１の両短辺側には、それぞれ端板３０２が対向するように取り付けられている。両端の端板３０２の内側の面の略中心には、パッキンが取り付けられている。このパッキンは、前述したパッキン１１０とほぼ同様の機能、構造のものであるため説明を省略する。天井板３０１の長辺には、それぞれ縁部３０３が対向するように設けられ、反射板１１を載置する載置部３０４が形成されている。
【００６９】
〔反射板１１〕
図７及び８に示すように、反射板１１の両短辺部には、貫通する孔である挿通孔１１ｈが２つずつ設けられている。挿通孔１１ｈは、保持バネ３４０を挿通するための貫通孔である。反射板１１は、長方形の一枚の板材を折り曲げ加工することにより複数の長方形の反射面が形成されている。反射板１１のこの反射面は、複数の長方形の面の長辺が隣接するように並べられて形成されている。
【００７０】
図８及び１１に示すように、反射板１１は、平面で見たとき略長方形形状に形成されている。反射板１１は、側面で見たとき左右対称で上方に凸状で略アーチ状に形成されており、両端と中心が下方向に突出するように形成されている。反射板１１は、側面で見たとき中心部には、天井面と平行になるように設けられた平面である取付面１１ｓが形成されている。取付面１１ｓには、ＬＥＤ基板３１０、透光性カバー３２０及び係合板３３０が取り付けられる。
【００７１】
〔係合雄部１２〕
図１０に示すように、係合雄部１２は、反射板１１の反射面の裏面の略中心に固定されている。係合雄部１２は、反射板１１を照明器具本体３００に固定するためのものである。係合雄部１２は、固定部１２ｓと差込板１２ｍとから形成されている。係合雄部１２は、ステンレスなどの弾性変形する金属の一枚の板材を、固定部１２ｓと差込板１２ｍとに略Ｕ字形状に折り曲げ加工することにより形成されている。固定部１２ｓは、平板状に形成されており、ビスやリベット等で反射板１２の取付面１１ｓに固定されている。
【００７２】
図１０及び１１に示すように、差込板１２ｍは、天井板３０１に固定されている係合雌部３５０に係合するために設けられた板状の部分である。差込板１２ｍは、一対の屈曲した板が固定部１２ｓから突出するように形成されている。一対の差込板１２ｍ、１２ｍは、その先端部の間隔１２ｗ１が係合孔３５０ｆの幅３５０ｗと、同一又はそれより狭く形成されている。一対の差込板１２ｍは、その一部の間隔１２ｗ２が係合孔３５０ｆの幅３５０ｗより広く形成されている。
【００７３】
〔ＬＥＤ基板３１０〕
図８に示すように、反射板１１の取付面１１ｓには、係合板３３０を介在して平面上で細長いＬＥＤ基板３１０が着脱自在に取り付けられている。ＬＥＤ基板３１０は、複数のＬＥＤ発光素子３１０Ｌが、等間隔に配置され固定されている基板である。ＬＥＤ基板３１０は、特に図示していないが、電源線に接続されており、電力が供給されることでＬＥＤ発光素子３１０Ｌが発光する。図９に示すように、ＬＥＤ基板３１０の長辺の間隔３１０ｗは、両側の内側溝３３２の底部の間隔３３２ｗと同一又はそれより狭く形成され、開口溝３３１の幅３３１ｗより広く形成されている。
【００７４】
〔透光性カバー３２０〕
図７又は８に示すように、透光性カバー３２０は、ＬＥＤ基板３１０を覆うカバーであり、断面で見ると略楕円形状の筒状カバーである。透光性カバー３２０の構成や材質等は、前述した透光性カバー２０と同様なので説明を省略する。透光性カバー３２０には、長手方向の一端から他端にかけて切り欠かれて開口３２０ａが形成されている。透光性カバー３２０は、係合板３３０に係合されて固定される。
【００７５】
〔係合雄片３２０ｍ〕
図９及び１０に示すように、透光性カバー３２０の開口３２０ａ側の両縁の開口縁３２１、３２１には、それぞれ係合雄片３２０ｍ、３２０ｍが突出するように形成されている。一対の係合雄片３２０ｍ、３２０ｍは、断面で見たとき、開口縁３２１側から透光性カバー３２０の内側に９０度折り曲げられるように形成されている。一対の係合雄片３２０ｍ、３２０ｍは、透光性カバー３２０の長手方向の一端から他端にかけて、開口縁３２１にレール状に形成されている。係合雄片３２０ｍは、透光性カバー３２０を係合板３３０の長手方向に沿ってスライドさせるための係合部であり、係合板３３０の係合雌溝３３３ｆに係合する。
【００７６】
図１０に示すように、一対の係合雄片３２０ｍ、３２０ｍの傾斜角度θ３は、後述する一対の係合雌溝３３３ｆ、３３３ｆの傾斜角度θ４と同一の角度になるように設けられている。なお、係合雄片３２０ｍの傾斜角度θ３は、開口３２０ａの面と係合雄片３２０ｍとの間の角度のことをいう。また、係合雌溝３３３ｆの傾斜角度θ４は、取付面１１ｓと係合雌溝３３３ｆとの間の角度のことをいう。一対の係合雄片３２０ｍ、３２０ｍの間隔３２０ｗは、一対の係合雌溝の間隔３３３ｗと同一に形成されている（図９参照）。
【００７７】
〔係合板３３０〕
図８及び９に示すように、係合板３３０は、反射板１１の取付面１１ｓに取り付けられる板であり、アルミニウム等の金属を押出成形で成形される。係合板３３０には、一方の面に一対の係合雌溝３３３ｆが形成され、他方の面に開口溝３３１、内側溝３３２が形成されている。係合板３３０は、押出成形で成形されるため大量に安く生産することができる。係合板３３０は、反射板１１にリベットやネジ等で固定して取り付けられる（図示せず）。
【００７８】
図９及び１０に示すように、係合板３３０の他方の面には、長手方向の一端から他端にかけて、一定の幅の溝である開口溝３３１が形成されている。係合板３３０の内側には、長手方向の一端から他端にかけて、一定の幅の溝である内側溝３３２が形成されている。内側溝３３２は、開口溝３３１の両側に連続するように形成され、幅３３１ｗは、間隔３３２ｗより小さく形成されている。幅３３１ｗは、ＬＥＤ基板３１０の短辺３１０ｗより狭く形成されている。幅３３１ｗは、ＬＥＤ発光素子３１０Ｌの幅より広く形成されている。内側溝３３２の幅３３２ｗは、ＬＥＤ基板３１０の短辺３１０ｗと同一又はそれより広く形成されている。
【００７９】
図９に示すように、係合板３３０の一方の面には、長手方向の一端から他端にかけて、一対の溝である係合雌溝３３３ｆが形成されている。一対の係合雌溝３３３ｆ、３３３ｆは、一方の面側から他方の面側にかけて凹むように形成された溝である。図１０に示すように、係合雌溝３３３ｆは、係合板３３０の長辺の両端付近に形成されている。係合雌溝３３３ｆは、透光性カバー３２０を係合板３３０の長手方向に沿ってスライドさせるための係合部であり、透光性カバー３２０の係合雄片３２０ｍに係合する。一対の係合雌溝３３３ｆの間隔３３３ｗは、一対の係合雄片３２０ｍの間隔３２０ｗと同一に形成されている。
【００８０】
〔保持バネ３４０〕
図８及び１１に示すように、天井板３０１の下面で、この短辺側の両端には、保持バネ３４０、３４０’がそれぞれ固定配置されている。保持バネ３４０、３４０’は、透光性カバー３２０を保持し、照明器具本体３００に反射板１１を固定するためのものである。保持バネ３４０、３４０’は、照明器具本体３００に反射板１１を取り付けるときに、挿通孔１１ｈを挿通できる位置になるように、天井板３０１に配置されている。保持バネ３４０、３４０’は、弾性変形可能なステンレス鋼板等を折り曲げて形成されたものであり、対向して配置された２組のバネである。
【００８１】
図８及び１１に示すように、保持バネ３４０、３４０’は、固定部３４１、３４１’、脚部３４２、３４２’、把持部３４３、３４３’及び先端部３４４、３４４’とから形成されている。把持部３４３の形状は、透光性カバー３２０を外側から覆うことができるように、透光性カバー３２０の外形にあわせて所定の寸法の傾斜、円弧又は放物線等に形成されている。先端部３４４、３４４’は、透光性カバー３２０を把持部３４３、３４３に挿入しやすくするために、その間隔が、上方向側から下方向側にかけて徐々に拡がるように形成されている。保持バネ３４０、３４０’は、天井板３０１の長手方向の端部付近で透光性カバー３２０の端部を保持することができる。
【００８２】
〔係合雌部３５０〕
図８及び１１に示すように、係合雌部３５０は、天井板３０１の下面の略中心に固定され、反射板１１を照明器具本体３００に固定するために設けられている。係合雌部３５０は、天井板３０１に固定され、係合雄部１２を保持するためのものである。天井板３０１に固定される固定部３５１、差込板１２ｍが挿入される空間を区画する支持脚部３５２及び係合雄部１２が固定される係合面部３５３とから形成されている。係合雌部３５０は、剛性のある金属（例えば、鋼板）の一枚板を折り曲げ加工することにより形成されている。
【００８３】
係合面部３５３は、反射板１１に設けられた係合雄部１２が係合するために形成されたた面であり、天井板３０１と平行になるように形成されている。係合面部３５３の略中心には、係合雄部１２が挿通し、係合するための貫通した係合孔３５０ｆが形成されている。係合雌部３５０には、係合面部３５３と天井板３０１との間に、係合板１２の差込板１２ｍが差し込まれる空間が区画されている。
【００８４】
次に図８及び９を用いて、反射板１１にＬＥＤ基板３１０及び透光性カバー３２０を取り付ける方法の概要を説明する。まず、係合板３３０の長手方向の一端の内側溝３３２にＬＥＤ基板３１０の長手方向の一端をあてる。さらに、ＬＥＤ基板３１０を内側溝３３２に押し込んで、ＬＥＤ基板３１０を内側溝３３２にスライドさせて、ＬＥＤ基板３１０の両端を係合板３３０の両端に一致させる。
【００８５】
次に、図８及び９に示すように、係合板３３０の一対の係合雌溝３３３ｆの長手方向の一端に、透光性カバー３２０の一対の係合雄片３２０ｍの一端をあてる。透光性カバー３２０を係合板３３０に押し込むと、係合雄片３２０ｍ、３２０ｍが係合雌溝３３３ｆ、３３３ｆに係合し、係合板３３０の長手方向に沿ってスライドされる。透光性カバー３２０を反射板１１上でスライドさせ、透光性カバー３２０の長手方向の両端を、係合板３３０の長手方向の両端にあわせる。反射板１１に、ＬＥＤ基板３１０及び透光性カバー３２０を取り付けることで反射板ユニットが組立てられる。
【００８６】
次に図１１より、反射板ユニット１１Ｕを、照明器具本体３００に取り付ける方法について説明する。図１１（ａ）に示すように、照明器具本体３００に反射板ユニット１１Ｕを合わせる。保持バネ３４０を反射板１１に設けられた挿通孔１１ｈに挿通する（図示せず）。図１１（ｂ）に示すように、保持バネ３４０の先端部に透光性カバー３２０をあてる。透光性カバー３２０を、天井板３０１側に向かって、保持バネ３４０、３４０’の間に押し込む。
【００８７】
図１１（ｃ）に示すように、保持バネ３４０は、所定の以上の力で透光性カバー３２０に押し込まれると、脚部３４２、３４２’が弾性変形し、２組の先端部３４４、３４４’の間隔が徐々に拡がる。このとき、一対の差込板１２ｍ、１２ｍが係合孔３５０ｆに差し込まれる。図１０に示すように、一対の差込板１２ｍ、１２ｍの一部の間隔１２ｗ２は、係合孔３５０ｆの幅３５０ｗより広く形成されている。このため、図１１（ｄ）に示すように、透光性カバー３２０をさらに押圧すると、一対の差込板１２ｍ、１２ｍは、弾性変形して係合孔３５０ｆに差し込まれる。この後、差込板１２ｍ、１２ｍは、係合孔３５０ｆに差し込まれた状態で付勢力により固定される。反射板１１の両端は、載置部３０４に載置される。
【００８８】
図１１（ｅ）に示すように、弾性変形した脚部３４２は、もとの位置に戻り、透光性カバー３２０は、一組の把持部３４３、３４３に覆われ保持される。つまり、透光性カバー３２０が取り付けられた反射板１１が、照明器具本体３００に取り付けられる。このとき、差込板１２ｍ、１２ｍは、係合孔３５０ｆに固定されている。つまり、係合雄部１２が係合雌部３５０に固定され、反射板１１が照明器具本体３００に取り付けられた状態となる。
【００８９】
他の実施の形態３に記載された反射板１１は、長手方向の両端で保持バネ３４０により固定され、中心部で係合雄部１２により固定されているため、長期間使用しても、照明器具本体３００から弛みづらい。保持バネ３４０は、透光性カバー３２０を中途の位置で固定することなく、透光性カバー３２０の両端付近を固定しているため、ＬＥＤ発光素子３１０Ｌが発光しても保持バネ３４０の影が目立たない。
【００９０】
以上、本発明の実施の形態について説明を行ったが、本発明はこの実施の形態に限定されることはない。本発明の目的、趣旨を変更しない範囲内で変更が可能であることはいうまでもない。本発明は、天井に天井板に取り付ける天井直付式の照明器具で説明をした。しかし、これに限定されることなく、天井埋込式の照明器具でも良いことはいうまでもない。
【符号の説明】
【００９１】
１  …  反射板
１０  …  ＬＥＤ基板
２０  …  透光性カバー
２０ａ  …  開口
２０ｆ  …  係合雌溝
２１  …  開口縁
３０  …  係合板
３０ｍ  …  係合雄片
１００  …  照明器具本体
１１０  …  パッキン
３００  …  照明器具本体
３２０  …  透光性カバー
３２０ｍ  …  係合雄片
３３０  …  係合板
３３１  …  開口溝
３３２  …  内側溝
３３３ｆ  …  係合雌溝
３４０  …  保持バネ
３５０  …  係合雌部
【図１】
2013127951.tif 000003
【図２】
2013127951.tif 000004
【図３】
2013127951.tif 000005
【図４】
2013127951.tif 000006
【図５】
2013127951.tif 000007
【図６】
2013127951.tif 000008
【図７】
2013127951.tif 000009
【図８】
2013127951.tif 000010
【図９】
2013127951.tif 000011
【図１０】
2013127951.tif 000012
【図１１】
2013127951.tif 000013